(57)【要約】【課題】立体面への植栽において、植物の状態に対応して、植栽配置と数量を自由に変えることのできる構造を有する植木鉢を得る。【解決手段】植木鉢は開口部６を有する壁板１や、有しない壁板１で組上げる構造にすることで、必要に応じて植栽用開口部６の位置を変えることのできる構造の植木鉢にする。又、開口部６にシート５を取付ける構造とすることで、植栽数量を変えることのできる植木鉢とする。更に、高さの違う壁板１の組み合わせの構造とすることで、開口部６の高さを変え、植栽位置を自由に変えることができる植木鉢にする。【選択図】　図２
2004113200.tif 000002
【特許請求の範囲】
【請求項１】
植木鉢の立体面に植栽を行うための開口部を有する植木鉢において、各段の側面の構成が板状の開口部を有する壁板と有しない壁板が組み合う構造とすることで、開口部を有する壁板と有しない壁板の位置を自由に変えることができるようになり、その為植栽位置を自由に選び、変えることができることを特徴とする植栽位置可変型植木鉢。
【請求項２】
請求項１記載の植栽位置可変型植木鉢において、それぞれの位置におかれる壁板にシートを取付け、その事により壁板の開口部の有無を選択し、開口部の数が自由に増減できることを特徴とする植栽位置可変型植木鉢。
【請求項３】
請求項１記載の植栽位置可変型植木鉢において、壁板の高さが違うものを複数枚用意し、その組み合わせで植木鉢本体を構成することとし、各段において、植栽開口部の位置と高さを変えて組み合わせができることを特徴とする植栽位置可変型植木鉢。
【発明の詳細な説明】
【０００１】
【発明の属する技術分野】本発明は植物全般の植栽するにあたり、植木鉢の側面に植栽することで立体空間演出を可能にできる植木鉢に関するものである。
【０００２】
【従来の技術】複数の容器を積み重ねた擬態段積用植木鉢（特開平１０−７５６６４）や、複数の枠体を積み重ねた植木鉢（実開平５−９１２８８）がある。
【０００３】上記擬態段積用植木鉢（特開平１０−７５６６４）は植栽用開口部の有無を自由に変えることができず、また植栽用開口部の高さを変えることができない植木鉢を積み重ねたものである。
【０００４】上記植木鉢（実開平５−９１２８８）は植栽用開口部の有無を自由に変えることができず、それぞれの方向を向いている植栽用開口部の高さを自由に変えることができない枠体を積み重ねたものである。
【０００５】
【発明が解決しようとする課題】平面的に植栽を行う植木鉢の場合には開口部を必要としないが、立体的に植栽する際、容器の積み重ねでない場合は、土の
流出等の問題があるため、植栽のための開口部を有する別の方法が必要となる。又、通常植物を植木鉢に植栽するときの植栽数は、植物の根土の大きさと地上部の成育による大きさによって違いがある。立体面に植栽する場合、開口部の位置が固定していると、成長することも含め植物の地上部が大きい場合は混み合い、間隔をあけなければならないという問題が生じる。逆に貧弱であったりさほど大きな成長も期待できない種類の植物の場合は、植物と植物の間が空きすぎるという問題が生じる。本来開口部の位置は植物の成育や状態に合うほうが望ましい。従来の植栽用開口部を有する植木鉢においては、植栽用開口部の位置を変えることができないという問題点がある。又、植木鉢が小さい場合には、１つの段におけるすべての面に植栽できるとは限らず、根土の大きさによっては、植栽できない面が必ず生じる。この時には、開口部の向きや高さが決定している場合、植栽に制限が生じ、植えたい場所に植えることができないという問題が予想される。このことにより開口部の位置を自由に変えることのできる構造が求められる。大きな植木鉢ならば問題とならなくとも、一般家庭への普及を考えた時、小さい植木鉢での自由な植栽を可能にする構造を有することは、必ず克服しなければならない課題である。更に植物の植栽であることから、植栽の美しさを求める上で、各段の各面における開口部の有無や高さの変更等、立体面における可能な限りの自由な植栽をおこなえる植木鉢が望まれる。又、植栽方法として、植栽のしやすさは植物の根や植物本体を傷めないようにするためには大切なことで、植物を小さな開口部を通すやり方や狭い空間を通すやり方は植物を傷めやすいという問題点がある。植栽はできるだけ簡単に置くだけで済むような方法が望ましい。
【０００６】本発明は以上述べたような問題点に鑑みてなされたもので、植物の状態に対応して、植栽用開口部の位置を変えることができ、また、植栽数量を変えることのできる植栽位置可変型植木鉢を提供することを目的とする。
【０００７】
【課題を解決するための手段】前述した課題を解決するために第１の発明に係わる植栽位置可変型植木鉢は、容器や枠体の積み重ねとせず、各段を複数枚の壁板の組み合わせとし、それらを積み重ねることで全体を構成する。これらの壁板全枚数の内、過半数が開口部を有するもの、残りの壁板が後述されるシートを有し、通常開口部を有しない壁板として扱う。開口部の有無の比率の設定は任意であるが、植栽が目的の植木鉢であることから、過半数は植栽が行われると想定するものである。壁板全枚数にシートを取り付けることは植栽目的から外れることであり、又、製造コストの問題を考慮して半数未満の壁板にシートを取り付けるものとする。このことにより植栽過程において、各段、各面における壁板の開口部の有無は、開口部を有する壁板と有しない壁板の交換で自由に選択、決定することができることを特徴とする。
【０００８】第２の発明に係わる植栽位置可変型植木鉢は、壁板の開口部の内側に、開口部を完全に覆う大きさの布状やビニール状のシートを上部だけ固定して取り付ける。これにより開口部を開けて植栽を行う場合はシートをめくりあげる。植栽を行わない場合は開口部を覆う。このことにより自由に開口部の有無を選択、植栽数量を変えることができることを特徴とする。
【０００９】第３の発明に係わる植栽位置可変型植木鉢は、基本サイズや、高さが基本サイズの２分の１などの低い補助サイズの壁板の組み合わせとし、それらを積み重ねることで植木鉢全体を構成し、最上部までの構成においては、幾通りもの植栽位置パターンをつくる事ができる。基本サイズと補助サイズの組み合わせの仕方によってその都度開口部の高さを変えることができることを特徴とする。
【００１０】
【作用】第１の発明では、壁板の交換を行うことで開口部の有無を選択することができ、植栽位置を変えることができる。
【００１１】第２の発明では、シートの取り扱いによる開口部の有無の変更を行うことができることによって、植栽数量を変えることができる。
【００１２】第３の発明では、高さの違う壁板を組み合わせることで植物同士の間が込み合ったり、逆に空きすぎる場合に間隔を調整することができる。又、低い高さの壁板の増減によって、植栽植物の数量を増減できる。
【００１３】
【発明の実施の形態】発明の実施の形態を実施例にもとずき、図面を参照して説明する。ただし、この実施例に記載されている構成方法、構成装置、構成内容、構成部品の寸法、材質、形状、その相対配置などは、特に特定的な記載がない限りは、この発明の範囲をそれらのみに限定する趣旨のものでなく、単なる説明例に過ぎない。
【００１４】図１において、壁板１を積み重ねるため、植木鉢の底部における底面板３と、壁板１が崩れないようにするための支柱２及び支柱固定枠４の構成を表す。Ｌ型をした支柱２を底面板３より垂直に立ち上げ固着する。その後に、支柱２の最上部において、支柱固定枠４を図１のように支柱２に取り付け固定する。Ｌ型の支柱２の本数と有する角度は、植木鉢の構造によって変わり、図１における４角柱の例では４本の支柱２を立上げ、それぞれの支柱２は９０度角を有するＬ型の構造となっている。４本の支柱２の配置場所は、支柱固定枠４の各角と同一線上となる。又、支柱固定枠４は垂直に立ち上がった支柱２の湾曲やゆがみを防止し、植木鉢としての４角柱の形を保持する。
【００１５】図２において、底部より１枚毎の壁板は支柱固定枠４の内側を通り、支柱２に沿って据え付ける。前面、両側、後方のそれぞれの壁板が組み合い、崩れることはなく据え付けを行うことができる。
【００１６】図３において、壁板１と支柱２の構成を表す。壁板１同士の接する縦の面は、崩れないように組み合う角度を有する。図３の４角柱の場合は、壁板の両端の縦の面は４５度角を有し、接して組み合う壁板の片端同士の角度が合わされ、その角度は、支柱２のＬ型の角度９０度と同一となり、内側への崩れを防止する。又、壁板１は、立ち上がった支柱２及び支柱固定枠４の内側に入る構造となっている為に、外側に崩れることもなく組み上げられていく。
【００１７】図４において、壁板１の内側に開口部６を覆うようにビニール状のシート５を取り付け、上部を固着する。これにより、植栽の為に開口部６が必要な時はシート５を上方にめくり上げて使用し、植栽を行わない場合には開口部６を覆うようにシート５を下ろす。この場合土を入れていく途中において、土の圧力がシート全体にかかり、シートは壁板１の内側に密着し、土は外に流失しない。
【００１８】図５、図６、図７、図８において、壁板は高さが基本寸法や、基本寸法の２分の１や３分の１などの補助寸法のものを用意し、壁板の積み重ねの順序を変えることができる。それにより、必要に応じて開口部の高さを変えて植栽することができる。
【００１９】図９において、植物の植栽は、壁板１で組まれた前段まで土を入れ、その上に植物を置き、向き、角度、配置などが決定し次第、壁板１を取り付ける。この際、壁板１の開口部６が植物の根元に来るように取り付けを行う。同様の植栽を最上部まで行う。植物と開口部６の間において土の流失の可能性が有る場合には、水苔等を開口部６付近に詰め込み、流失を防止する。この場合においても、壁板１による組み立て構成の為作業は行い易く、植物を傷めることを極力避けることができる。
【００２０】
【発明の効果】本発明は、以上説明したように構成されているので、以下に記載されるような効果を奏する。
【００２１】板状の壁板を用いての植栽である為、各段、各面において開口部の有無を変えることができ、そのことによって植栽位置を自由に変えることができる。
【００２２】シートを取り付け、開口部の有無を選択できるようになったことにより、１つの植木鉢の中で植物の大きさに対応した配置が自由にできるようになり、又、植栽植物の数量を簡単に変えることができる。
【００２３】壁板は、高さが違うものを組み合わせた構成にすることで、開口部の高さを変えることができ、植栽に変化を持たせることができる。
【図面の簡単な説明】
【図１】本発明の斜視図である。
【図２】本発明の斜視図である。
【図３】本発明の平面図である。
【図４】シートを取り付けられた壁板内側の斜視図である。
【図５】壁板組み合わせの斜視図である。
【図６】壁板組み合わせの斜視図である。
【図７】壁板組み合わせの斜視図である。
【図８】壁板組み合わせの斜視図である。
【図９】植栽状況の斜視図である。
【符号の説明】
１　壁板
２　支柱
３　底面板
４　支柱固定枠
５　シート
６　開口部
【図１】
2004113200.tif 000003
【図２】
2004113200.tif 000004
【図３】
2004113200.tif 000005
【図４】
2004113200.tif 000006
【図５】
2004113200.tif 000007
【図６】
2004113200.tif 000008
【図７】
2004113200.tif 000009
【図８】
2004113200.tif 000010
【図９】
2004113200.tif 000011